(57)【要約】【課題】  液晶表示素子による表示の落ち込みを防ぎ、且つ液晶表示素子の表面に施される装飾層などの表面処理が偏光板による制約を受けないようにする。【解決手段】  上下一対のガラス基板１１、１２間に液晶１６を封入して時刻などの情報を電気光学的に表示する液晶表示素子９と、指針で時刻を指示する指針表示部とを有する電子腕時計において、上下一対のガラス基板１１、１２にそれぞれ設けられる上偏光板１４と下偏光板１５とのうち、少なくとも上偏光板１４を上側のガラス基板１１の下面に設け、この上側のガラス基板１１を指針表示部の文字板として用いた。従って、液晶表示素子９に表示された情報が深く落ち込んで見えるのを防ぐことができるほか、特に上側のガラス基板１１の上面に表面処理を施す際、その表面処理が上偏光板１４による制約を受けず、上側のガラス基板１１の上面に装飾層２０などの表面処理が容易に且つ良好にできる。【選択図】        図２
2006177831.tif 000002
【特許請求の範囲】
【請求項１】
一対の透明基板間に液晶を封入して時刻などの情報を電気光学的に表示する液晶表示素子と、指針で時刻を指示する指針表示部とを有する電子時計において、
前記液晶表示素子は、前記一対の透明基板にそれぞれ設けられる偏光板のうち、少なくとも一方の偏光板を前記一対の透明基板が互いに対向する対向面の一方に設け、この一方の偏光板が設けられた前記一方の透明基板を前記指針表示部の文字板として用いたことを特徴する電子時計。
【請求項２】
前記液晶表示素子は、前記一対の透明基板の各対向面にそれぞれ偏光板を設け、これら各偏光板の間に前記液晶を封入した構成であることを特徴する請求項１に記載の電子時計。
【請求項３】
一対の透明基板間に液晶を封入して時刻などの情報を電気光学的に表示する液晶表示素子と、少なくとも前記液晶表示素子に対応する部分に表示窓部が設けられた文字板の上方を指針が運針して時刻を指示する指針表示部とを備えた電子時計において、
前記液晶表示素子は前記文字板の前記表示窓部の裏面に貼り付けられていることを特徴する電子時計。
【発明の詳細な説明】
【技術分野】
【０００１】
この発明は、時刻などの情報を電気光学的に表示するデジタル表示機能と、指針の運針によって時刻を指示するアナログ表示機能との両方を兼ね備えた電子時計に関する。
【背景技術】
【０００２】
従来、デジタル表示機能とアナログ表示機能とを備えた電子腕時計においては、特許文献１に開示されているように、デジタル表示機能として、上下一対の透明なガラス基板間に液晶を封入して時刻などの情報を電気光学的に表示する液晶表示素子を用い、アナログ表示機能として、文字板の上方を運針する指針で時刻を指示する指針表示部を用い、この指針表示部の文字板を液晶表示素子の上側のガラス基板で兼用した構造のものがある。この場合、液晶表示素子は、上下一対のガラス基板のうち、上側のガラス基板の上面に上偏光板が設けられ、下側のガラス基板の下面に下偏光板が設けられた構成になっている。
【特許文献１】実開昭５３−１２６６７４号公報
【発明の開示】
【発明が解決しようとする課題】
【０００３】
しかしながら、このような従来の電子腕時計では、液晶表示素子の上側のガラス基板を指針表示部の文字板として用いているので、液晶表示素子に表示された情報が深く落ち込んで見えるのを防ぐことができても、液晶表示素子における上側のガラス基板の上面に上偏光板が設けられているため、上側のガラス基板の上面に蒸着や印刷などによって装飾層を設けるときに、装飾層が上偏光板の厚みや材質によって制約を受けるという不都合がある。
【０００４】
この発明が解決しようとする課題は、液晶表示素子に表示された情報が深く落ち込んで見えるのを防ぐと共に、液晶表示素子の偏光板による制約を受けずに、液晶表示素子の表面に装飾層などの表面処理を良好に施すことができる電子時計を提供することである。
【課題を解決するための手段】
【０００５】
この発明は、上記課題を解決するために、次のような構成要素を備えている。
なお、各構成要素には、後述する各実施形態の項で説明される各要素に付されている図面の参照番号などを括弧と共に付す。
【０００６】
請求項１に記載の発明は、図１〜図３に示すように、一対の透明基板（ガラス基板１１、１２）間に液晶（１６）を封入して時刻などの情報を電気光学的に表示する液晶表示素子（９、２５）と、指針（１８）で時刻を指示する指針表示部とを有する電子時計において、前記液晶表示素子は、前記一対の透明基板にそれぞれ設けられる偏光板（１４、１５）のうち、少なくとも一方の偏光板（上偏光板１４）を前記一対の透明基板が互いに対向する対向面の一方（上側のガラス基板１１の下面）に設け、この一方の偏光板（上偏光板１４）が設けられた前記一方の透明基板（上側のガラス基板１１）を前記指針表示部の文字板として用いたことを特徴する電子時計である。
【０００７】
請求項２に記載の発明は、図３に示すように、前記液晶表示素子（２５）が、前記一対の透明基板（ガラス基板１１、１２）の各対向面にそれぞれ偏光板（上偏光板１４と下偏光板１５）を設け、これら各偏光板の間に前記液晶（１６）を封入した構成であることを特徴する請求項１に記載の電子時計である。
【０００８】
請求項３に記載の発明は、図４および図５に示すように、一対の透明基板（ガラス基板３３、３４）間に液晶（１６）を封入して時刻などの情報を電気光学的に表示する液晶表示素子（３２）と、少なくとも前記液晶表示素子に対応する部分に表示窓部（３１ｂ）が設けられた文字板（３１）の上方を指針（１８）が運針して時刻を指示する指針表示部とを備えた電子時計において、前記液晶表示素子が前記文字板の前記表示窓部の裏面に貼り付けられていることを特徴する電子時計である。
【発明の効果】
【０００９】
請求項１に記載の発明によれば、液晶表示素子における一対の透明基板にそれぞれ設けられる偏光板のうち、少なくとも一方の偏光板を一対の透明基板が互いに対向する対向面の一方に設け、この一方の偏光板が設けられた前記一方の透明基板を指針表示部の文字板として用いたので、液晶表示素子に表示された情報が深く落ち込んで見えないようにすることができるほか、特に一方の透明基板の外表面に装飾層などの表面処理を施す際に、その表面処理が偏光板の厚みや材質による制約を受けないため、一方の透明基板の外表面に蒸着や印刷などによって装飾層を設ける際の表面処理が容易に且つ良好にできる。
【００１０】
請求項２に記載の発明によれば、液晶表示素子が、一対の透明基板の各対向面にそれぞれ偏光板を設け、これら各偏光板の間に液晶を封入した構成であることにより、請求項１に記載の発明と同様の作用効果があるほか、特に他方の透明基板の裏面に反射層などの表面処理を施す際に、その表面処理が偏光板による制約を受けないため、これによっても他方の透明基板の裏面に蒸着などによって反射層を設ける際の表面処理が容易に且つ良好にできる。
【００１１】
請求項３に記載の発明によれば、液晶表示素子が文字板における表示窓部の裏面に貼り付けられているので、これによっても、ある程度、液晶表示素子に表示された情報が深く落ち込んで見えるのを防ぐことができると共に、文字板の表面が液晶表示素子の偏光板による制約を受けないので、これによっても蒸着や印刷などによって装飾層を設ける際の表面処理が容易に且つ良好にできるほか、特に文字板の裏面に液晶表示素子を貼り付けるだけで良いので、構造が簡単で、組み付け作業も容易にでき、生産性の良いものを得ることができる。
【発明を実施するための最良の形態】
【００１２】
（実施形態１）
以下、図１および図２を参照して、この発明を電子腕時計に適用した実施形態１について説明する。
図１はこの発明を適用した電子腕時計の拡大断面図、図２はその液晶表示素子を更に拡大した断面図である。この電子腕時計は、図１に示すように、腕時計ケース１を備えている。この腕時計ケース１の上部外周には、リング状のベゼル２が取り付けられており、このベゼル２には、時計ガラス３がパッキン３ａを介して装着されている。また、この腕時計ケース１の内部には、時計モジュール４が収納されており、この腕時計ケース１の下部には、裏蓋５が防水リング５ａを介して取り付けられている。
【００１３】
時計モジュール４は、デジタル表示機能とアナログ表示機能との両方を兼ね備えた構成になっている。すなわち、この時計モジュール４は、図１に示すように、上部ハウジング６と下部ハウジング７とを備えている。これら上部ハウジング６と下部ハウジング７との間には、回路基板８が配置されている。また、上部ハウジング６の上面側には液晶表示素子９が配置されており、上部ハウジング６の内部にはアナログムーブメント１０が配置されている。
【００１４】
液晶表示素子９は、図１および図２に示すように、上下一対の透明なガラス基板１１、１２を備えている。この場合、上側のガラス基板１１は、図１に示すように、上部ハウジング６の上面全体に配置される大きさに形成され、上部ハウジング１１の上面に配置された状態で、その周縁部の上面が見切り部材１３によって押え付けられ、これにより文字板として用いられるように構成されている。
【００１５】
下側のガラス基板１２は、図１および図２に示すように、上側のガラス基板１１の下面における６時側の所定個所（図１では左側の所定個所）に対応する大きさに形成されている。また、下側のガラス基板１２に対応する上側のガラス基板１１の下面には、図２に示すように、上偏光板１４が設けられており、この下側のガラス基板１２の下面には、下偏光板１５が設けられている。さらに、上側のガラス基板１１の上偏光板１４と下側のガラス基板１２との間には、図２に示すように、液晶１６が封入されている。
【００１６】
この場合、上側のガラス基板１１の上偏光板１４の下面と下側のガラス基板１２の上面とには、それぞれ透明電極（図示せず）が設けられている。なお、この液晶表示素子９の下面、つまり下偏光板１５の下面には、図示しないが、バックライト装置または反射板が配置されるようになっている。これにより、液晶表示素子９は、上側のガラス基板１１が文字板として用いられ、この状態で上下の各透明電極に選択的に電圧を印加することにより、時刻や日付、曜日などの情報を電気光学的に表示するように構成されている。
【００１７】
一方、アナログムーブメント１０は、図１に示すように、上部ハウジング６の上面に配置された液晶表示素子９の上側のガラス基板１１に設けられた貫通孔１１ａに挿入する指針軸１７を備え、この指針軸１７が上側のガラス基板１１の貫通孔１１ａに下側から挿入して上方に突出し、この突出した指針軸１７の上端部に時針、分針、秒針などの指針１８が取り付けられ、この指針１８が文字板である上側のガラス基板１１の上方を運針して時刻を指示するように構成されている。
【００１８】
この場合、文字板である上側のガラス基板１１の上面には、時字（図示せず）が印刷などに設けられているほか、図２に２点鎖線で示すように、蒸着や印刷などにより装飾層２０が液晶表示素子９の表示領域を除いて設けられるようになっている。これらアナログムーブメント１０、指針１８、および文字板である上側のガラス基板１１によって、指針表示部が構成されている。
【００１９】
このような電子腕時計によれば、アナログムーブメント１０の指針１８が文字板である上側のガラス基板１１の上方を運針して時刻を指示することにより、時刻を知ることができると共に、液晶表示素子９に時刻や日付、曜日などの情報が電気光学的に表示されることにより、表示された情報をも視認することができる。
【００２０】
この場合、液晶表示素子９は、上下一対のガラス基板１１、１２にそれぞれ設けられる上偏光板１４と下偏光板１５とのうち、上偏光板１４を上側のガラス基板１１の下面に設け、この上側のガラス基板１１を指針表示部の文字板として用いたので、液晶表示素子９に表示された情報が深く落ち込んで見えるのを防ぐことができる。
【００２１】
特に、この液晶表示素子９は、上偏光板１４を上側のガラス基板１１の下面に設けた構成であるから、文字板である上側のガラス基板１１の上面に蒸着や印刷などによって装飾層２０を設けるときに、この装飾層２０が上偏光板１４の厚みや材質による制約を受けないようにすることができる。このため、文字板である上側のガラス基板１１の上面に蒸着や印刷などによる装飾層２０を設ける際の表面処理が容易に且つ良好にできる。
【００２２】
なお、上記実施形態１では、液晶表示素子９が、上側のガラス基板１１の下面に上偏光板１４を設け、下側のガラス基板１２の下面に下偏光板１５を設けた構成であるが、これに限らず、例えば図３に示す変形例のように、上下一対のガラス基板１１、１２の各対向面、つまり上側のガラス基板１１の下面に上偏光板１４を設け、下側のガラス基板１２の上面に下偏光板１５を設け、上偏光板１４と下偏光板１５との間に液晶１８を封入した構成の液晶表示素子２５であっても良い。この場合には、上偏光板の下面と下偏光板１５の上面とにそれぞれ透明電極（図示せず）を設ければ良い。
【００２３】
このような構成でも、実施形態１と同様の作用効果があるほか、特に下側のガラス基板１２の下面に下偏光板１５が設けられていないため、下側のガラス基板１２の下面に蒸着などによって反射層２６を設けるときに、この反射層２６が下偏光板１５による制約を受けないようにすることができる。これにより、下側のガラス基板１２の下面に蒸着などによる反射層２６を設ける際の表面処理が容易に且つ良好にできる。なお、下側のガラス基板１２の下面には、必ずしも反射層２６を設ける必要はなく、反射層２６に代えて、バックライト装置を配置しても良い。
【００２４】
（実施形態２）
次に、図４および図５を参照して、この発明を適用した電子腕時計の実施形態２について説明する。この場合にも、図１および図２に示された実施形態１と同一部分には同一符号を付して説明する。
この電子腕時計は、時計モジュール３０の文字板３１の下面に液晶表示素子３２を貼り付けた構造で、これ以外は実施形態１とほぼ同じ構造になっている。
【００２５】
すなわち、この時計モジュール３０の文字板３１は、透明なガラス板からなり、上部ハウジング６の上面に配置され、そのほぼ中心部に指針軸１７が挿入する貫通孔３１ａが設けられ、この貫通孔３１ａに指針軸１７が挿入されて上方に突出し、この突出した指針軸１７の上端部に取り付けられた指針１８が文字板３１の上方を運針するように構成されている。
【００２６】
この場合、文字板３１の上面には、実施形態１と同様、時字（図示せず）が印刷などに設けられているほか、図５に示すように、蒸着や印刷などにより装飾層２０が液晶表示素子３２の表示領域を除いて設けられるようになっている。これにより、文字板３１には、装飾層２０が設けられない表示窓部３１ｂが液晶表示素子３２の表示領域に対応して設けられるようになっている。
【００２７】
液晶表示素子３２は、上下一対の透明なガラス基板３３、３４を備え、これら一対のガラス基板３３、３４がほぼ同じ大きさに形成されていると共に、その間に液晶１６が封入され、上側のガラス基板３３の上面に上偏光板１４が設けられ、下側のガラス基板３４の下面に下偏光板１５が設けられ、この状態で上偏光板１４が文字板３１の下面に接着剤によって貼り付けられている。
【００２８】
この場合、上側のガラス基板３３の下面と下側のガラス基板３４の上面とには、それぞれ透明電極（図示せず）が設けられている。これにより、液晶表示素子９は、上下の各透明電極に選択的に電圧を印加することにより、時刻や日付、曜日などの情報を電気光学的に表示するように構成されている。
【００２９】
このような電子腕時計によれば、実施形態１と同様、アナログムーブメント１０の指針１８が文字板３１の上方を運針して時刻を指示することにより、時刻を知ることができると共に、液晶表示素子３２に時刻や日付、曜日などの情報が電気光学的に表示されることにより、液晶表示素子３２に表示された情報を文字板３１の表示窓部３１ｂを透して視認することができる。
【００３０】
この場合、液晶表示素子３２が文字板３１における表示窓部３１ｂの下面に貼り付けられているので、ある程度、液晶表示素子３２に表示された情報が落ち込んで見えるのを防ぐことができると共に、文字板３１の上面が液晶表示素子３２による制約、特に液晶表示素子３２の上偏光板１４による制約を受けないため、これによっても蒸着や印刷などによって装飾層２０を設ける際の表面処理が容易に且つ良好にできるほか、特に文字板３１の下面に液晶表示素子３２を貼り付けるだけで良いので、構造が簡単で、組み付け作業も容易にでき、生産性の良いものを得ることができる。
【００３１】
なお、上記実施形態２では、液晶表示素子３２が、上下一対の透明なガラス基板３３、３４間に液晶１６を封入し、上側のガラス基板３３の上面に上偏光板１４を設け、下側のガラス基板３４の下面に下偏光板１５を設けた構成であるが、これに限らず、例えば実施形態１で述べたように、上側のガラス基板３３の下面に上偏光板１４を設け、下側のガラス基板３４の下面に下偏光板１５を設け、上側のガラス基板３３の上偏光板１４と下側のガラス基板３４との間に液晶１６を封入した構成でも良い。この場合にも、上側のガラス基板３３の上偏光板１４の下面と下側のガラス基板３４の上面とに、それぞれ透明電極（図示せず）を設ければ良い。
【００３２】
また、これに限らず、例えば実施形態１の変形例のように、上下一対のガラス基板３３、３４の各対向面、つまり上側のガラス基板３３の下面に上偏光板１４を設け、下側のガラス基板３４の上面に下偏光板１５を設け、上偏光板１４と下偏光板１５との間に液晶１６を封入した構成でも良い。この場合にも、上偏光板１４の下面と下偏光板１５の上面とにそれぞれ透明電極を設ければ良い。
【００３３】
このようないずれの構造の液晶表示素子を用いても、実施形態２とほぼ同様の作用効果があるほか、特に上側のガラス基板３３を直接、文字板３１の下面に貼り付ければ良いので、上偏光板１４による制約を受けずに、液晶表示素子を文字板３１に貼り付けることができ、このため実施形態２により貼り付け作業が容易にできる。
【００３４】
なおまた、上記実施形態１または２およびその各変形例では、電子腕時計に適用した場合について述べたが、これに限らず、トラベルウォッチ、目覚し時計、置き時計、掛け時計などの電子時計にも広く適用することができる。
【図面の簡単な説明】
【００３５】
【図１】この発明を適用した電子腕時計の拡大断面図である。（実施形態１）
【図２】図１の液晶表示素子を示した要部の拡大断面図である。
【図３】図２の液晶表示素子の変形例を示した要部の拡大断面図である。
【図４】この発明を適用した電子腕時計の拡大断面図である。（実施形態２）
【図５】図４の文字板と液晶表示素子とを示した要部の拡大断面図である。
【符号の説明】
【００３６】
１  腕時計ケース
３  時計ガラス
４、３０  時計モジュール
９、２５、３２  液晶表示素子
１０  アナログムーブメント
１１、３３  上側のガラス基板
１２、３４  下側のガラス基板
１４  上偏光板
１５  下偏光板
１６  液晶
１７  指針軸
１８  指針
２０  装飾層
２６  反射層
３１  文字板
【図１】
2006177831.tif 000003
【図２】
2006177831.tif 000004
【図３】
2006177831.tif 000005
【図４】
2006177831.tif 000006
【図５】
2006177831.tif 000007